(57)【要約】【課題】クロス折りモジュールを有する折り機であって、クロス折りモジュールが、クロス折りナイフ１８と、該クロス折りナイフの下方に配置された、走入する枚葉紙を載置する枚葉紙支持装置３８と、該枚葉紙支持装置の下方に配置されたローラフレーム２７とを有しており、該ローラフレーム内へ枚葉紙がクロス折りナイフにより走入され、かつ前記折り機に、前記ローラフレームに後置された三回折りモジュール２２が設けられており、該三回折りモジュールに、クロス折りナイフに対して垂直方向に配置された三回折りナイフ２４が設けられた折り機において、種々異なった折り形式に合うように素早くかつ簡単に調整可能なものを提供する。【解決手段】三回折りモジュール２２とローラフレーム２７とが回動架台２０に配置されており、該回動架台２０が鉛直方向の軸線２８を中心として少なくとも１８０°だけ回動可能になっているようにした。【選択図】図４
2007131456.tif 000002
【特許請求の範囲】
【請求項１】
折り機であって、該折り機にクロス折りモジュールが設けられており、該クロス折りモジュールが、クロス折りナイフ（１８）と、該クロス折りナイフ（１８）の下方に配置された枚葉紙支持装置（３８）と、該枚葉紙支持装置（３８）の下方に配置されたローラフレーム（２７）とを有しており、前記枚葉紙支持装置（３８）に、走入する枚葉紙が載置されるようになっており、前記ローラフレーム（２７）内に枚葉紙がクロス折りナイフ（１８）により走入されるようになっており、かつ前記折り機に、前記ローラフレーム（２７）に後置された三回折りモジュール（２２）が設けられており、該三回折りモジュール（２２）に、クロス折りナイフ（１８）に対して垂直方向に配置された三回折りナイフ（２４）が設けられている形式のものにおいて、三回折りモジュール（２２）とローラフレーム（２７）とが、回動架台（２０）に配置されており、該回動架台（２０）が、鉛直方向の軸線（２８）を中心として少なくとも１８０°だけ回動可能になっていることを特徴とする、折り機。
【請求項２】
前記回動架台（２０）に、折りバックル（２６）が、回転軸線（２８）に関して三回折りモジュール（２２）に直径上に向かい合っているように配置されている、請求項１記載の折り機。
【請求項３】
クロス折りナイフ（１８）、及び該クロス折りモジュールの枚葉紙支持装置（３８）が、クロス折りフレーム（３６）に取り付けられており、該クロス折りフレーム（１９）が、ナイフ軸（３０）を中心として上方へ旋回可能に支承されている、請求項１又は２記載の折り機。
【発明の詳細な説明】
【技術分野】
【０００１】
本発明は、折り機であって、該折り機にクロス折りモジュールが設けられており、該クロス折りモジュールが、クロス折りナイフと、該クロス折りナイフの下方に配置された枚葉紙支持装置と、該枚葉紙支持装置の下方に配置されたローラフレームとを有しており、前記枚葉紙支持装置に、走入する枚葉紙が載置されるようになっており、前記ローラフレーム内に枚葉紙がクロス折りナイフにより走入されるようになっており、かつ前記折り機に、前記ローラフレームに後置された三回折りモジュールが設けられており、該三回折りモジュールに、クロス折りナイフに対して垂直方向に配置された三回折りナイフが設けられている形式のものに関する。
【背景技術】
【０００２】
ドイツ連邦共和国特許公開第３１４７０６４号明細書につき折り装置アセンブリが公知である。この折り装置アセンブリは第１の基本モジュールを有しており、この第１の基本モジュールは、枚葉紙走行方向で見て連続して、枚葉紙を供給するための給紙テーブル並びにバックル折り装置を有している。前記第１の基本モジュールには第２の基本モジュールが後置されている。この第２の基本モジュールはクロス折りモジュールを有しており、このクロス折りモジュールの一方の側には三回折りモジュールが配置されており、かつ他方の側にはバックル折り装置が配置されている。これにより、クロス折りモジュール内で折り畳まれた枚葉紙を、折るために選択的に三回折りモジュールに供給するか、又はバックル折り装置に供給する可能性が生み出される。この場合にこの選択は折りたい最終製品の種類に関係してなされる。三回折りモジュールにより、枚葉紙はクロス折りモジュールの折りに対して横方向に折られ、折りバックル装置はクロス折りモジュールの折りに対して平行な別の折りを形成する。
【０００３】
第２の基本モジュールは走行可能なユニットの形で形成されており、逆向きの２つの入口を有しており、これらの入口には１８０°だけずらされた位置で第１の基本モジュールに接続するための切換可能な搬送装置が設けられている。第２の基本モジュールにより、折り装置アセンブリのフレキシビリティを高めることができる。しかしながら、切換可能な搬送装置は構造的に極めて手間がかかる。さらに走行可能な第２の基本モジュールを第１の基本モジュールに適合させることは困難である。なぜならば、位置が正確に決められる必要があるからである。
【特許文献１】ドイツ連邦共和国特許公開第３１４７０６４号明細書
【発明の開示】
【発明が解決しようとする課題】
【０００４】
本発明の課題は、折り機において、種々異なった折り形式に合うように素早くかつ簡単に調整可能なものを提供することである。
【課題を解決するための手段】
【０００５】
この課題は、三回折りモジュールとローラフレームとが、回動架台に配置されており、該回動架台が、鉛直方向の軸線を中心として少なくとも１８０°だけ回動可能になっている折り機により解決される。本発明による折り機の有利な改良形が請求項２及び３の対象である。
【発明の効果】
【０００６】
本発明による折り機の構成は、三回折りモジュールを、望まれる折り形式に関して素早くかつ簡単にクロス折りナイフの両側のいずれか一方の側に配置することを可能にする。クロス折りナイフ、及び場合によっては押さえ装置並びに端部ストッパ装置を含む枚葉紙支持装置が不動に維持されるので、ローラフレーム及び三回折りモジュールを鉛直方向の回転軸線を中心として回動させることのみが必要である。
【０００７】
回動架台に折りバックル装置が回動軸線に関して三回折りモジュールに直線上に向かい合って配置されている場合には、折り機のフレキシビリティがさらに高められる。これにより、クロス折りナイフにより折られた枚葉紙をクロス折りナイフの両側で、折りバックル装置によっても三回折りモジュールによっても折る可能性が生み出される。
【０００８】
クロス折りナイフ、及びクロス折りモジュールの枚葉紙支持装置がクロス折りフレームに取り付けられており、このクロス折りフレームが旋回軸を中心として上方へ旋回可能に支承されている場合には、回動架台の回動が簡易化される。クロス折りフレームが上方へ旋回された場合には、ローラフレーム、三回折りモジュール、及び場合によっては折りバックル装置を、回動軸線を中心として自由に回動することができる。
【発明を実施するための最良の形態】
【０００９】
次に本発明の実施の形態を図面につきさらに詳しく説明する。
【００１０】
図１、図２、図３、図４、図５及び図６に示した折り機は、整列テーブル１２を有している。この整列テーブル１２には、傾斜搬送ベルト及び枚葉紙走行方向に延在するストッパ条片１４が設けられている。このストッパ条片１４により、前記傾斜搬送ベルトにより搬送された枚葉紙が、バックル折り装置１７内へ挿入される前に枚葉紙走行方向に整列される。バックル折り装置１７は整列テーブル１２に後置されている。バックル折り装置１７には、枚葉紙走行方向にクロス折りモジュール１９が後置されている。このクロス折りモジュール１９はクロス折りナイフ１８を有しており、このクロス折りナイフ１８は枚葉紙支持装置３８の上方に配置されている。この枚葉紙支持装置３８は、有利には互いに間隔をおいて平行に配置された複数のエンドレス搬送ベルトにより形成される。さらにクロス折りモジュール１９は、走入する枚葉紙を押さえておくための押さえ装置並びに端部ストッパ装置を有している。この端部ストッパ装置には、走入する枚葉紙の先行するエッジが接触する。
【００１１】
図６に見ることができるように、クロス折りナイフ１８並びに枚葉紙支持装置３８、及び場合によっては押さえ装置並びに端部ストッパ装置はクロス折りフレーム３６に取り付けられている。このクロス折りフレーム３６は、バックル折り装置１７に向いた側で旋回軸３０を中心として折り機１０の機械架台３２で旋回可能に支承されている。さらにクロス折りモジュール１９の１つの部分はローラフレーム２７である。このローラフレーム２７は枚葉紙支持装置３８の下方の回動式架台２０に取り付けられており、これにより、クロス折りフレーム３６と一緒に旋回可能にはなっていない。
【００１２】
クロス折りフレーム１９の下方に配置された前記回動架台２０は回動コラム３４を有しており、この回動コラム３４は機械架台３２で鉛直方向の軸線２８を中心として回動可能になっている。
【００１３】
図１は、折り機１０の第１の基本位置を示している。この第１の基本位置では、ローラフレーム２７がクロス折りナイフ１８の下方に配置されており、これにより、バックル折り装置１７から来る枚葉紙は、クロス折りナイフ１８によりローラフレーム２７の第１の折りローラ対（図示していない）内へ走入することができる。さらに図１から判るように、クロス折りナイフ１８に関して右側には、三回折りモジュール２２が回動架台２０に堅固に配置されている。この三回折りモジュール２２は三回折りナイフ２４を有しており、この三回折りナイフ２４はクロス折りナイフ１８に対して垂直方向に延びている。ローラフレーム２７が第１の位置に調整されている場合には、クロス折りナイフ１８により折り曲げられた枚葉紙が三回折りモジュール２２に供給され、前記三回折りナイフ２４は折りを行う。この折りは、クロス折りナイフ１８によりもたらされた折りに対して垂直方向に延びている。
【００１４】
回転軸線２８に関して三回折りモジュール２２に直径上に向かい合って、折りバックル２６がクロス折りナイフ１８に対して平行に回動架台２０に取り付けられている。前記ローラフレーム２７は第２の位置では次のように調節することができる。すなわち、ローラフレーム２７内へクロス折りナイフ１８により挿入された枚葉紙が折りバックル２６に供給され、次いでこの折りバックル２６は折りを行う。この折りは、クロス折りナイフ１８による折りに対して平行に延びている。
【００１５】
作製される折り製品の種類に関係して、図５に示したように三回折りモジュール２２を左側に配置し、折りバックル２６を右側に配置することが必要となるかもしれない。このことは次のようにして簡単に行うことができる。すなわち、クロス折りフレーム３６が上方へ開かれ（図６参照）、これにより、三回折りモジュール２２、折りバックル２６及びローラフレーム２７を有する回動架台２０が解放され、この回動架台２０が図２〜図５に示したように回転軸線２８を中心として１８０°だけ旋回される。次いでクロス折りフレーム３６が再びもとの位置へ閉じられ、新しい折り工程を行うことができる。
【図面の簡単な説明】
【００１６】
【図１】回動架台を有する折り機の第１の基本位置を示す概略的な平面図である。
【図２】回動架台が４５°の回動位置に位置している図１の折り機の平面図である。
【図３】回動架台が９０°の回動位置に位置している図１の折り機の平面図である。
【図４】回動架台が１３５°の回動位置に位置している図１の折り機の平面図である。
【図５】回動架台が第２の基本位置に位置している図１の折り機の平面図である。
【図６】図５の折り機のクロス折りフレームが開けられたところを示す側面図である。
【符号の説明】
【００１７】
１０  折り機、  １２  整列テーブル、  １４  ストッパ条片、  １７  バックル折り装置、  １８  クロス折りナイフ、  １９  クロス折りモジュール、  ２０  回動架台、  ２２  三回折りモジュール、  ２４  三回折りナイフ、  ２７  ローラフレーム、  ２８  軸線、  ３０  旋回軸、  ３２  機械架台、  ３４  旋回コラム、  ３６  クロス折りフレーム、  ３８  枚葉紙支持装置
【図１】
2007131456.tif 000003
【図２】
2007131456.tif 000004
【図３】
2007131456.tif 000005
【図４】
2007131456.tif 000006
【図５】
2007131456.tif 000007
【図６】
2007131456.tif 000008